(57)【要約】【課題】本発明は装飾ネックレス防盗装置を開示した。【解決手段】本体と前記本体の中に位置している切り替えチャンバとを含み、前記切り替えチャンバの端壁の中には前記切り替えチャンバを貫通しているスライドチャンバが設けられ、前記スライドチャンバの中にはスライドブロックが設けられ、前記スライドチャンバの中には切り替え装置が設けられ、前記切り替えチャンバの底壁の中には警報チャンバが設けられ、前記警報チャンバの頂壁にはベルが弾性を持つようにに設けられ、本発明の装飾ネックレス防盗装置はネックレスが展示される過程中にガラスカバーをロックでき、同時に意外なことが発生した時に、設備は適時にネックレスを設備の内部に収納し保護することができ、同時に警報を出して警備員に知らせ、ネックレスの安全を保証でき、比較的に高い使用価値と普及価値とを備える。【選択図】図１
2020175154.tif 000002
【特許請求の範囲】
【請求項１】
正面視で、本体と前記本体の中に位置している切り替えチャンバとを含み、前記切り替えチャンバの端壁の中には前記切り替えチャンバを貫通しているスライドチャンバが設けられ、前記スライドチャンバの中にはスライドブロックが設けられ、前記スライドチャンバの中には切り替え装置が設けられ、前記切り替えチャンバの底壁の中には警報チャンバが設けられ、前記警報チャンバの頂壁にはベルが弾性を持つようにに設けられ、前記警報チャンバの中には警報装置が設けられ、前記本体の頂壁の中には展示チャンバが設けられ、前記展示チャンバには取り外し可能のガラスカバーが設けられ、前記ガラスカバーの中には導電糸が嵌設され、前記ガラスカバーの両側端壁の中には凹溝が設けられ、前記展示チャンバの中には収納装置が設けられ、前記展示チャンバの両側端壁の中には電気接続孔が連通するように設けられ、前記電気接続孔の中には第一復帰装置により弾性を持つように連結された電気接続ロッドがスライドできるように設けられ、前記電気接続ロッドの中には楔形孔が上下に貫通するように設けられていることを特徴とする装飾ネックレス防盗装置。
【請求項２】
前記切り替え装置は前記スライドチャンバの底壁の中に対称的に設けられ、且つ前記切り替えチャンバの両側に位置しているカムチャンバを含み、前記スライドブロックの中には上下に貫通しているネジ孔が対称的に設けられ、前記ネジ孔の中には前記カムチャンバを貫通したネジロッドがねじ山によって連結され、前記ネジロッドの底部末端と前記カムチャンバの底壁の中に固定的に設けられた第一モーターとが伝動できるように連結され、前記カムチャンバの中の前記ネジロッドの外表面にはカムが固定的に設けられ、前記カムチャンバの端壁の中には第一スライド孔が設けられ、前記第一スライド孔の中には第二復帰装置により弾性を持つように連結された第一スライドロッドがスライドできるように設けられ、前記スライドブロックの中には第二モーターが固定的に設けられ、前記第二モーターの出力軸のうち両側へ伸びている末端にはそれぞれ第一スプライン軸と第二スプライン軸とが固定的に設けられ、前記スライドブロックの両側端壁には第一ラックが固定的に設けられ、前記スライドチャンバの両側端壁の中には歯車チャンバが設けられ、前記歯車チャンバの頂壁の中には前記電気接続孔を貫通したラック孔が設けられ、前記ラック孔の中には第二ラックがスライドできるように設けられ、前記歯車チャンバの中には前記第一ラックと前記第二ラックとの両者と噛合する第一歯車が回転できるように設けられていることを特徴とする請求項１に記載の装飾ネックレス防盗装置。
【請求項３】
前記警報装置は前記警報チャンバの底壁の中に設けられたトーションバネチャンバを含み、前記トーションバネチャンバと前記切り替えチャンバとの間には前記警報チャンバを貫通した第一回転軸が回転できるように設けられ、前記切り替えチャンバの中の前記第一回転軸の末端には第一スプラインスリーブが固定的に設けられ、前記警報チャンバの中の前記第一回転軸の外表面には前記ベルと協働することができるハンマーが固定的に設けられ、前記トーションバネチャンバの中の前記第一回転軸の外表面には前記バネチャンバの端壁と固定的に連結されたトーションバネが弾性を持つように設けられ、前記第一回転軸の底壁の中には下方に開口したスプライン孔が設けられ、前記トーションバネチャンバの底壁の中にはスライド移動チャンバが設けられ、前記スライド移動チャンバの中にはスライド移動ブロックが設けられ、前記スライド移動ブロックと前記スライド移動チャンバの端壁との間には第三復帰装置が弾性を持つように設けられ、前記スライド移動ブロック両側端壁の中にはロック溝が設けられ、前記スライド移動ブロックの中には爪車チャンバが設けられ、前記爪車チャンバの底壁には爪車が固定的に設けられ、前記爪車チャンバの頂壁の中には第三スプライン軸が回転できるように設けられ、前記爪車チャンバの中の前記第三スプライン軸の末端には前記爪車と係合している爪車溝が固定的に設けられ、前記第三スプライン軸の頂部末端が前記スプライン孔に伸びており、且つ前記スプライン孔とスプラインにより連結され、前記スライド移動チャンバの両側端壁の中には第二スライド孔が設けられ、前記第二スライド孔の中には第四復帰装置により弾性を持つように連結された第二スライドロッドがスライドできるように設けられ、前記第一スライド孔の底壁の中には前記第二スライド孔を貫通した第三スライド孔が設けられ、前記第三スライド孔の中には第五復帰装置により弾性を持つように連結された第三スライドロッドがスライドできるように設けられていることを特徴とする請求項１または請求項２に記載の装飾ネックレス防盗装置。
【請求項４】
前記収納装置は前記スライド移動チャンバの左右端壁の中に設けられたスライド移動孔を含み、前記スライド移動孔の開口が相対しており、前記スライド移動孔の中には弾性を持つように連結された電磁石がスライドできるように設けられ、前記電磁石と前記電気接続ロッドとが通電できるように連結され、前記展示チャンバの中には展示台が固定的に設けられ、前記展示台の頂壁の中には開け溝が設けられ、前記開け溝には環状排列に配置された五組のヒンジロッドがヒンジによって連結され、前記ヒンジロッドの末端には弾性を持つように設けられた羽根がヒンジによって連結され、前記羽根には回転盤がヒンジによって連結され、前記展示チャンバと前記切り替えチャンバとの間には前記回転盤と固定的に連結された第二回転軸が回転できるように設けられ、前記切り替えチャンバの中の前記第二回転軸の末端には第二スプラインスリーブが固定的に設けられていることを特徴とする請求項１または請求項２または請求項３に記載のに記載の装飾ネックレス防盗装置。
【発明の詳細な説明】
【技術分野】
【０００１】
本発明は贅沢品保護分野を取り上げて、具体的には装飾ネックレス防盗装置である。
【背景技術】
【０００２】
ネックレスは金銀や宝石などで作られて首につけるチエーンの形をするアクセサリーであり、人体の装飾品の一つであり、ネックレスは贅沢物として展示される時に防盗セキュリティーが特に大事であり、伝統的なネックレス展示防盗装置は構造が複雑でかさばり、防盗効果も普通であり、従って、ネックレス展示防盗装置を設計し上記の問題を改善する必要がある。
【先行技術文献】
【特許文献】
【０００３】
【特許文献１】中国特許出願公開第１０８６５２３３９号明細書
【発明の概要】
【発明が解決しようとする課題】
【０００４】
本発明の目的は装飾ネックレス防盗装置を提供し、それは上記の現在の技術中の問題を解決できる。
【課題を解決するための手段】
【０００５】
本発明の装飾ネックレス防盗装置は、本体と前記本体の中に位置している切り替えチャンバとを含み、前記切り替えチャンバの端壁の中には前記切り替えチャンバを貫通しているスライドチャンバが設けられ、前記スライドチャンバの中にはスライドブロックが設けられ、前記スライドチャンバの中には切り替え装置が設けられ、前記切り替えチャンバの底壁の中には警報チャンバが設けられ、前記警報チャンバの頂壁にはベルが弾性を持つようにに設けられ、前記警報チャンバの中には警報装置が設けられ、前記本体の頂壁の中には展示チャンバが設けられ、前記展示チャンバには取り外し可能のガラスカバーが設けられ、前記ガラスカバーの中には導電糸が嵌設され、前記ガラスカバーの両側端壁の中には凹溝が設けられ、前記展示チャンバの中には収納装置が設けられ、前記展示チャンバの両側端壁の中には電気接続孔が連通するように設けられ、前記電気接続孔の中には第一復帰装置により弾性を持つように連結された電気接続ロッドがスライドできるように設けられ、前記電気接続ロッドの中には楔形孔が上下に貫通するように設けられている。
【０００６】
前記切り替え装置は前記スライドチャンバの底壁の中に対称的に設けられ、且つ前記切り替えチャンバの両側に位置しているカムチャンバを含み、前記スライドブロックの中には上下に貫通しているネジ孔が対称的に設けられ、前記ネジ孔の中には前記カムチャンバを貫通したネジロッドがねじ山によって連結され、前記ネジロッドの底部末端と前記カムチャンバの底壁の中に固定的に設けられた第一モーターとが伝動できるように連結され、前記カムチャンバの中の前記ネジロッドの外表面にはカムが固定的に設けられ、前記カムチャンバの端壁の中には第一スライド孔が設けられ、前記第一スライド孔の中には第二復帰装置により弾性を持つように連結された第一スライドロッドがスライドできるように設けられ、前記スライドブロックの中には第二モーターが固定的に設けられ、前記第二モーターの出力軸のうち両側へ伸びている末端にはそれぞれ第一スプライン軸と第二スプライン軸とが固定的に設けられ、前記スライドブロックの両側端壁には第一ラックが固定的に設けられ、前記スライドチャンバの両側端壁の中には歯車チャンバが設けられ、前記歯車チャンバの頂壁の中には前記電気接続孔を貫通したラック孔が設けられ、前記ラック孔の中には第二ラックがスライドできるように設けられ、前記歯車チャンバの中には前記第一ラックと前記第二ラックとの両者と噛合する第一歯車が回転できるように設けられている。
【０００７】
前記警報装置は前記警報チャンバの底壁の中に設けられたトーションバネチャンバを含み、前記トーションバネチャンバと前記切り替えチャンバとの間には前記警報チャンバを貫通した第一回転軸が回転できるように設けられ、前記切り替えチャンバの中の前記第一回転軸の末端には第一スプラインスリーブが固定的に設けられ、前記警報チャンバの中の前記第一回転軸の外表面には前記ベルと協働することができるハンマーが固定的に設けられ、前記トーションバネチャンバの中の前記第一回転軸の外表面には前記バネチャンバの端壁と固定的に連結されたトーションバネが弾性を持つように設けられ、前記第一回転軸の底壁の中には下方に開口したスプライン孔が設けられ、前記トーションバネチャンバの底壁の中にはスライド移動チャンバが設けられ、前記スライド移動チャンバの中にはスライド移動ブロックが設けられ、前記スライド移動ブロックと前記スライド移動チャンバの端壁との間には第三復帰装置が弾性を持つように設けられ、前記スライド移動ブロック両側端壁の中にはロック溝が設けられ、前記スライド移動ブロックの中には爪車チャンバが設けられ、前記爪車チャンバの底壁には爪車が固定的に設けられ、前記爪車チャンバの頂壁の中には第三スプライン軸が回転できるように設けられ、前記爪車チャンバの中の前記第三スプライン軸の末端には前記爪車と係合している爪車溝が固定的に設けられ、前記第三スプライン軸の頂部末端が前記スプライン孔に伸びており、且つ前記スプライン孔とスプラインにより連結され、前記スライド移動チャンバの両側端壁の中には第二スライド孔が設けられ、前記第二スライド孔の中には第四復帰装置により弾性を持つように連結された第二スライドロッドがスライドできるように設けられ、前記第一スライド孔の底壁の中には前記第二スライド孔を貫通した第三スライド孔が設けられ、前記第三スライド孔の中には第五復帰装置により弾性を持つように連結された第三スライドロッドがスライドできるように設けられている。
【０００８】
前記収納装置は前記スライド移動チャンバの左右端壁の中に設けられたスライド移動孔を含み、前記スライド移動孔の開口が相対しており、前記スライド移動孔の中には弾性を持つように連結された電磁石がスライドできるように設けられ、前記電磁石と前記電気接続ロッドとが通電できるように連結され、前記展示チャンバの中には展示台が固定的に設けられ、前記展示台の頂壁の中には開け溝が設けられ、前記開け溝には環状排列に配置された五組のヒンジロッドがヒンジによって連結され、前記ヒンジロッドの末端には弾性を持つように設けられた羽根がヒンジによって連結され、前記羽根には回転盤がヒンジによって連結され、前記展示チャンバと前記切り替えチャンバとの間には前記回転盤と固定的に連結された第二回転軸が回転できるように設けられ、前記切り替えチャンバの中の前記第二回転軸の末端には第二スプラインスリーブが固定的に設けられている。
【発明の効果】
【０００９】
本発明の装飾ネックレス防盗装置はネックレスが展示される過程中にガラスカバーをロックでき、同時に意外なことが発生した時に、設備は適時にネックレスを設備の内部に収納し保護することができ、同時に警報を出して警備員に知らせ、ネックレスの安全を保証でき、本発明の設備は全体の構造において更に合理的で巧妙になり、使用も非常に便利であり、実用性を高め、比較的に高い使用価値と普及価値とを備える。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の装飾ネックレス防盗装置の全体構成略図
【図２】図２は図１のＡ―Ａの構成略図
【図３】図３は図１のＢの拡大構成略図
【図４】図４は図１のＣの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４に示すように、本発明の装飾ネックレス防盗装置は、本体１００と前記本体１００の中に位置している切り替えチャンバ６０とを含み、前記切り替えチャンバ６０の端壁の中には前記切り替えチャンバ６０を貫通しているスライドチャンバ４４が設けられ、前記スライドチャンバ４４の中にはスライドブロック４６が設けられ、前記スライドチャンバ４４の中には切り替え装置２００が設けられ、前記切り替えチャンバ６０の底壁の中には警報チャンバ１９が設けられ、前記警報チャンバ１９の頂壁にはベル１８が弾性を持つようにに設けられ、前記警報チャンバ１９の中には警報装置３００が設けられ、前記本体の頂壁の中には展示チャンバ５５が設けられ、前記展示チャンバ５５には取り外し可能のガラスカバー５８が設けられ、前記ガラスカバー５８の中には導電糸５７が嵌設され、前記ガラスカバー５８の両側端壁の中には凹溝５４が設けられ、前記展示チャンバ５５の中には収納装置４００が設けられ、前記展示チャンバ５５の両側端壁の中には電気接続孔５３が連通するように設けられ、前記電気接続孔５３の中には第一復帰装置５２により弾性を持つように連結された電気接続ロッド５０がスライドできるように設けられ、前記電気接続ロッド５０の中には楔形孔５１が上下に貫通するように設けられている。
【００１４】
前記切り替え装置２００は前記スライドチャンバ４４の底壁の中に対称的に設けられ、且つ前記切り替えチャンバ６０の両側に位置しているカムチャンバ１４を含み、前記スライドブロック４６の中には上下に貫通しているネジ孔１１が対称的に設けられ、前記ネジ孔１１の中には前記カムチャンバ１４を貫通したネジロッド１２がねじ山によって連結され、前記ネジロッド１２の底部末端と前記カムチャンバ１４の底壁の中に固定的に設けられた第一モーター１６とが伝動できるように連結され、前記カムチャンバ１４の中の前記ネジロッド１２の外表面にはカム４０が固定的に設けられ、前記カムチャンバ１４の端壁の中には第一スライド孔４２が設けられ、前記第一スライド孔４２の中には第二復帰装置４３により弾性を持つように連結された第一スライドロッド４１がスライドできるように設けられ、前記スライドブロック４６の中には第二モーター６３が固定的に設けられ、前記第二モーター６３の出力軸のうち両側へ伸びている末端にはそれぞれ第一スプライン軸１３と第二スプライン軸６２とが固定的に設けられ、前記スライドブロック４６の両側端壁には第一ラック６４が固定的に設けられ、前記スライドチャンバ４４の両側端壁の中には歯車チャンバ４７が設けられ、前記歯車チャンバ４７の頂壁の中には前記電気接続孔５３を貫通したラック孔４８が設けられ、前記ラック孔４８の中には第二ラック４９がスライドできるように設けられ、前記歯車チャンバ４７の中には前記第一ラック６４と前記第二ラック４９との両者と噛合する第一歯車４５が回転できるように設けられている。
【００１５】
有益的には、前記警報装置３００は前記警報チャンバ１９の底壁の中に設けられたトーションバネチャンバ２０を含み、前記トーションバネチャンバ２０と前記切り替えチャンバ６０との間には前記警報チャンバ１９を貫通した第一回転軸１７が回転できるように設けられ、前記切り替えチャンバ６０の中の前記第一回転軸１７の末端には第一スプラインスリーブ１５が固定的に設けられ、前記警報チャンバ１９の中の前記第一回転軸１７の外表面には前記ベル１８と協働することができるハンマー６９が固定的に設けられ、前記トーションバネチャンバ２０の中の前記第一回転軸１７の外表面には前記バネチャンバ２０の端壁と固定的に連結されたトーションバネ２１が弾性を持つように設けられ、前記第一回転軸１７の底壁の中には下方に開口したスプライン孔２２が設けられ、前記トーションバネチャンバ２０の底壁の中にはスライド移動チャンバ２７が設けられ、前記スライド移動チャンバ２７の中にはスライド移動ブロック２８が設けられ、前記スライド移動ブロック２８と前記スライド移動チャンバ２７の端壁との間には第三復帰装置３２が弾性を持つように設けられ、前記スライド移動ブロック２８両側端壁の中にはロック溝２３が設けられ、前記スライド移動ブロック２８の中には爪車チャンバ２６が設けられ、前記爪車チャンバ２６の底壁には爪車３０が固定的に設けられ、前記爪車チャンバ２６の頂壁の中には第三スプライン軸３６が回転できるように設けられ、前記爪車チャンバ２６の中の前記第三スプライン軸３６の末端には前記爪車３０と係合している爪車溝３１が固定的に設けられ、前記第三スプライン軸３６の頂部末端が前記スプライン孔２２に伸びており、且つ前記スプライン孔２２とスプラインにより連結され、前記スライド移動チャンバ２７の両側端壁の中には第二スライド孔３３が設けられ、前記第二スライド孔３３の中には第四復帰装置３５により弾性を持つように連結された第二スライドロッド３４がスライドできるように設けられ、前記第一スライド孔４２の底壁の中には前記第二スライド孔３３を貫通した第三スライド孔３９が設けられ、前記第三スライド孔３９の中には第五復帰装置３７により弾性を持つように連結された第三スライドロッド３８がスライドできるように設けられている。
【００１６】
有益的には、前記収納装置４００は前記スライド移動チャンバ２７の左右端壁の中に設けられたスライド移動孔２４を含み、前記スライド移動孔２４の開口が相対しており、前記スライド移動孔２４の中には弾性を持つように連結された電磁石２５がスライドできるように設けられ、前記電磁石２５と前記電気接続ロッド５０とが通電できるように連結され、前記展示チャンバ５５の中には展示台６７が固定的に設けられ、前記展示台６７の頂壁の中には開け溝５６が設けられ、前記開け溝５６には環状排列に配置された五組のヒンジロッド６６がヒンジによって連結され、前記ヒンジロッド６６の末端には弾性を持つように設けられた羽根６６がヒンジによって連結され、前記羽根６６には回転盤６８がヒンジによって連結され、前記展示チャンバ５５と前記切り替えチャンバ６０との間には前記回転盤６８と固定的に連結された第二回転軸５９が回転できるように設けられ、前記切り替えチャンバ６０の中の前記第二回転軸５９の末端には第二スプラインスリーブ６１が固定的に設けられている。
【００１７】
以下、図１〜４と上記に説明した本出願の装飾ネックレス防盗装置の具体的な構成とを合わせて装飾ネックレス防盗装置の使用方法を詳しく説明する：
【００１８】
前記第一モーター１６を始動し、前記第一モーター１６が回転し前記ネジロッド１２を回転連動させ、前記ネジロッド１２が回転し前記カム４１を回転連動させて前記第一スライドロッド４１を移動連動させ、これにより前記第三スライドロッド３８を下に移動連動させ、これにより前記第二スライドロッド３４を連動させて前記ロック溝２３に挿入させ、同時に前記ネジロッド１２が回転し前記スライドブロック４６を下へ移動連動させ、これにより前記第一スプライン軸１３を下に移動連動させ、前記第一スプライン軸１３が第一スプラインスリーブ１５とスプラインにより連結され、前記スライドブロック４６が下に移動し前記第一ラック６４を下に移動連動させて第二ラック４９を上に移動連動させ、これにより前記電気接続ロッド５０を両側へ移動連動させて前記凹溝５４から出し、この時に前記ガラスカバー５８を取り外し、前記装飾ネックレスを前記羽根６５の上に置き、この時前記第二モーター６３を始動し、前記第二モーター６３が回転して前記第一スプライン軸１３と、第一スプラインスリーブ１５と、第一回転軸１７と、前記第三スプライン軸３６とを回転連動させ、これにより前記爪車溝３１を回転連動させ、この時前記トーションバネ２１がエネルギーを貯め、この時前記ガラスカバー５８を改めて前記展示チャンバ５５の中に置き、この時前記第一モーター１６を始動し、第一モーター１６が逆方向に回転し前記スライドブロック４６を上へ移動連動させ、この時前記電気接続ロッド５０が前記凹溝５４の中に伸びて前記導電糸５７と通電できるように連結され、同時に前記第二スライドロッド３４が前記ロック溝２３の外に移動し、前記第二スプライン軸６２が改めて前記第二スプラインスリーブ６１とスプラインによって連結され、その時外力で前記ガラスカバー５８が破られた場合に、前記導電糸５７が通電しなくなり、その時両側の二つの前記電磁石２５が通電しなくなり両側へ移動し、その時前記スライド移動ブロック２８が下へ移動して前記第三スプライン軸３６を連動させて前記スプライン孔２２から移動し出し、前記第一回転軸１７が前記トーションバネ２１の作用により逆方向に回転して前記ハンマー６９を連動させ、前記ハンマー６９が前記ベル１８を叩き、警報を出し、同時に前記第二モーター６３が一回正回転し一回逆回転し、その時前記第二スプライン軸６２が前記第二スプラインスリーブ６１と前記回転盤６８とを一回正回転させて一回逆回転させ、前記回転盤６８が一回正回転し一回逆回転して前記羽根６５を連動させ、前記羽根６５が開いた後に閉まり、前記装飾ネックレスが前記羽根６５の下方に落ちて保存され、盗まれることを防止する。
【００１９】
以上の詳しい説明により、本発明の設備は同一の動力源を利用して前記警報装置を連動させてエネルギーを貯めさせ、同時にこの動力源を利用して前記収納装置を連動させて前記装飾ネックレスを収納させ、意外な状況でネックレスが適時に収納されると同時に、警報を出して警備員に知らせられることを保証する。
【００２０】
従って、本発明の装飾ネックレス防盗装置はネックレスが展示される過程中にガラスカバーをロックでき、同時に意外なことが発生した時に、設備は適時にネックレスを設備の内部に収納し保護することができ、同時に警報を出して警備員に知らせ、ネックレスの安全を保証でき、本発明の設備は全体の構造において更に合理的で巧妙になり、使用も非常に便利であり、実用性を高め、比較的に高い使用価値と普及価値とを備える。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175154.tif 000003
【図２】
2020175154.tif 000004
【図３】
2020175154.tif 000005
【図４】
2020175154.tif 000006
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
正面視で、本体と前記本体の中に位置している切り替えチャンバとを含み、前記切り替えチャンバの端壁の中には前記切り替えチャンバを貫通しているスライドチャンバが設けられ、前記スライドチャンバの中にはスライドブロックが設けられ、前記スライドチャンバの中には切り替え装置が設けられ、前記切り替えチャンバの底壁の中には警報チャンバが設けられ、前記警報チャンバの頂壁にはベルが弾性を持つようにに設けられ、前記警報チャンバの中には警報装置が設けられ、前記本体の頂壁の中には展示チャンバが設けられ、前記展示チャンバには取り外し可能のガラスカバーが設けられ、前記ガラスカバーの中には導電糸が嵌設され、前記ガラスカバーの両側端壁の中には凹溝が設けられ、前記展示チャンバの中には収納装置が設けられ、前記展示チャンバの両側端壁の中には電気接続孔が連通するように設けられ、前記電気接続孔の中には第一復帰装置により弾性を持つように連結された電気接続ロッドがスライドできるように設けられ、前記電気接続ロッドの中には楔形孔が上下に貫通するように設けられ、
前記切り替え装置は前記スライドチャンバの底壁の中に対称的に設けられ、且つ前記切り替えチャンバの両側に位置しているカムチャンバを含み、前記スライドブロックの中には上下に貫通しているネジ孔が対称的に設けられ、前記ネジ孔の中には前記カムチャンバを貫通したネジロッドがねじ山によって連結され、前記ネジロッドの底部末端と前記カムチャンバの底壁の中に固定的に設けられた第一モーターとが伝動できるように連結され、前記カムチャンバの中の前記ネジロッドの外表面にはカムが固定的に設けられ、前記カムチャンバの端壁の中には第一スライド孔が設けられ、前記第一スライド孔の中には第二復帰装置により弾性を持つように連結された第一スライドロッドがスライドできるように設けられ、前記スライドブロックの中には第二モーターが固定的に設けられ、前記第二モーターの出力軸のうち両側へ伸びている末端にはそれぞれ第一スプライン軸と第二スプライン軸とが固定的に設けられ、前記スライドブロックの両側端壁には第一ラックが固定的に設けられ、前記スライドチャンバの両側端壁の中には歯車チャンバが設けられ、前記歯車チャンバの頂壁の中には前記電気接続孔を貫通したラック孔が設けられ、前記ラック孔の中には第二ラックがスライドできるように設けられ、前記歯車チャンバの中には前記第一ラックと前記第二ラックとの両者と噛合する第一歯車が回転できるように設けられ、
前記警報装置は前記警報チャンバの底壁の中に設けられたトーションバネチャンバを含み、前記トーションバネチャンバと前記切り替えチャンバとの間には前記警報チャンバを貫通した第一回転軸が回転できるように設けられ、前記切り替えチャンバの中の前記第一回転軸の末端には第一スプラインスリーブが固定的に設けられ、前記警報チャンバの中の前記第一回転軸の外表面には前記ベルと協働することができるハンマーが固定的に設けられ、前記トーションバネチャンバの中の前記第一回転軸の外表面には前記バネチャンバの端壁と固定的に連結されたトーションバネが弾性を持つように設けられ、前記第一回転軸の底壁の中には下方に開口したスプライン孔が設けられ、前記トーションバネチャンバの底壁の中にはスライド移動チャンバが設けられ、前記スライド移動チャンバの中にはスライド移動ブロックが設けられ、前記スライド移動ブロックと前記スライド移動チャンバの端壁との間には第三復帰装置が弾性を持つように設けられ、前記スライド移動ブロック両側端壁の中にはロック溝が設けられ、前記スライド移動ブロックの中には爪車チャンバが設けられ、前記爪車チャンバの底壁には爪車が固定的に設けられ、前記爪車チャンバの頂壁の中には第三スプライン軸が回転できるように設けられ、前記爪車チャンバの中の前記第三スプライン軸の末端には前記爪車と係合している爪車溝が固定的に設けられ、前記第三スプライン軸の頂部末端が前記スプライン孔に伸びており、且つ前記スプライン孔とスプラインにより連結され、前記スライド移動チャンバの両側端壁の中には第二スライド孔が設けられ、前記第二スライド孔の中には第四復帰装置により弾性を持つように連結された第二スライドロッドがスライドできるように設けられ、前記第一スライド孔の底壁の中には前記第二スライド孔を貫通した第三スライド孔が設けられ、前記第三スライド孔の中には第五復帰装置により弾性を持つように連結された第三スライドロッドがスライドできるように設けられ、
前記収納装置は前記スライド移動チャンバの左右端壁の中に設けられたスライド移動孔を含み、前記スライド移動孔の開口が相対しており、前記スライド移動孔の中には弾性を持つように連結された電磁石がスライドできるように設けられ、前記電磁石と前記電気接続ロッドとが通電できるように連結され、前記展示チャンバの中には展示台が固定的に設けられ、前記展示台の頂壁の中には開け溝が設けられ、前記開け溝には環状排列に配置された五組のヒンジロッドがヒンジによって連結され、前記ヒンジロッドの末端には弾性を持つように設けられた羽根がヒンジによって連結され、前記羽根には回転盤がヒンジによって連結され、前記展示チャンバと前記切り替えチャンバとの間には前記回転盤と固定的に連結された第二回転軸が回転できるように設けられ、前記切り替えチャンバの中の前記第二回転軸の末端には第二スプラインスリーブが固定的に設けられ、
前記第一モーターを始動し、前記第一モーターが回転し前記ネジロッドを回転連動させ、前記ネジロッドが回転し前記カムを回転連動させて前記第一スライドロッドを移動連動させ、これにより前記第三スライドロッドを下に移動連動させ、これにより前記第二スライドロッドを連動させて前記ロック溝に挿入させ、同時に前記ネジロッドが回転し前記スライドブロックを下へ移動連動させ、これにより前記第一スプライン軸を下に移動連動させ、前記第一スプライン軸が第一スプラインスリーブとスプラインにより連結され、前記スライドブロックが下に移動し前記第一ラックを下に移動連動させて第二ラックを上に移動連動させ、これにより前記電気接続ロッドを両側へ移動連動させて前記凹溝から出し、この時に前記ガラスカバーを取り外し、前記装飾ネックレスを前記羽根の上に置き、この時前記第二モーターを始動し、前記第二モーターが回転して前記第一スプライン軸と、第一スプラインスリーブと、第一回転軸と、前記第三スプライン軸とを回転連動させ、これにより前記爪車溝を回転連動させ、この時前記トーションバネがエネルギーを貯め、この時前記ガラスカバーを改めて前記展示チャンバの中に置き、この時前記第一モーターを始動し、第一モーターが逆方向に回転し前記スライドブロックを上へ移動連動させ、この時前記電気接続ロッドが前記凹溝の中に伸びて前記導電糸と通電できるように連結され、同時に前記第二スライドロッドが前記ロック溝の外に移動し、前記第二スプライン軸が改めて前記第二スプラインスリーブとスプラインによって連結され、その時外力で前記ガラスカバーが破られた場合に、前記導電糸が通電しなくなり、その時両側の二つの前記電磁石が通電しなくなり両側へ移動し、その時前記スライド移動ブロックが下へ移動して前記第三スプライン軸を連動させて前記スプライン孔から移動し出し、前記第一回転軸が前記トーションバネの作用により逆方向に回転して前記ハンマーを連動させ、前記ハンマーが前記ベルを叩き、警報を出し、同時に前記第二モーターが一回正回転し一回逆回転し、その時前記第二スプライン軸が前記第二スプラインスリーブと前記回転盤とを一回正回転させて一回逆回転させ、前記回転盤が一回正回転し一回逆回転して前記羽根を連動させ、前記羽根が開いた後に閉まり、前記装飾ネックレスが前記羽根の下方に落ちて保存され、盗まれることを防止することを特徴とする装飾ネックレス防盗装置。